(57)【要約】【課題】被写体が撮影されている期間、被写体に該当する再生リストを検出し、被写体毎の再生リストの作成／編集を行うことが可能な映像音声記録再生装置、及び映像音声記録再生方法を提供する。【解決手段】被写体に設置され、無線通信を送信する無線信号情報送信部１０２と、無線信号情報を受信する無線信号情報受信部１０４と、無線信号を解析する情報解析部１０５と、再生リストを選択する再生リスト選択部１０６と、再生手順情報を追加する再生リスト追加部１０７とを備え、無線信号情報送信部１０２より送信された被写体識別情報を受信解析して、被写体が撮影されているか否かを識別し、被写体の撮影期間、被写体に該当する再生リストを再生リスト選択部１０６において検出し、再生リスト追加部１０７において再生手順情報の追加を行うことにより、被写体毎の再生リストの自動作成／編集を行うことができる。【選択図】図１
2007006422.tif 000002
【特許請求の範囲】
【請求項１】
ランダムアクセス可能な記録媒体に、撮影した映像音声データとともに該映像音声データを再生する上での管理情報を記録し、該管理情報を基に前記映像音声データを再生する映像音声記録再生装置において、
被写体を撮影し、映像音声データとして出力するカメラ撮影手段と、
前記映像音声データと該映像音声データに対応する前記管理情報とを、前記記録媒体に対して読み書きするデータアクセス手段と、
被写体に設置され、無線通信により、前記被写体を識別するための被写体識別情報を該被写体側から所定の時間間隔毎に送信する無線信号情報送信手段と、
前記無線信号情報送信手段からの無線信号情報を受信する無線信号情報受信手段と、
前記無線信号情報受信手段で受信した無線信号情報より、被写体識別情報を解析し取得する情報解析手段と、
前記記録媒体に、映像音声データとともに該映像音声データの再生手順を示す管理情報として記録された複数個の再生リストから、該各再生リスト内に含まれる被写体識別情報を検索し、前記情報解析手段により取得した前記被写体識別情報に該当する再生リストを選択する再生リスト選択手段と、
前記再生リスト選択手段により選択した再生リストに、前記被写体の撮影に伴い新たに記録した映像音声データの再生手順を示す情報を追加し、該再生手順情報を前記記録媒体に記録する再生リスト追加手段とを備えた、
ことを特徴とする映像音声記録再生装置。
【請求項２】
請求項１記載の映像音声記録再生装置において、
前記被写体識別情報は、前記無線信号情報送信手段固有の識別情報によって構成される情報である、
ことを特徴とする映像音声記録再生装置。
【請求項３】
請求項１記載の映像音声記録再生装置において、
前記再生リストは、１つ以上の前記被写体識別情報と、１つ以上の再生手順情報とにより構成される、
ことを特徴とする映像音声記録再生装置。
【請求項４】
請求項２または請求項３記載の映像音声記録再生装置において、
前記再生リスト選択手段は、前記再生リスト内に含まれる被写体識別情報の検索時、前記情報解析手段により取得した被写体識別情報に該当する再生リストが存在しない場合、該取得した被写体識別情報に該当する再生リストを新たに作成登録する、
ことを特徴とする映像音声記録再生装置。
【請求項５】
請求項２または請求項３記載の映像音声記録再生装置において、
前記再生リスト選択手段は、前記再生リスト内に含まれる被写体識別情報の検索時、前記情報解析手段により取得した被写体識別情報に該当する再生リストが複数存在する場合、該当するすべての再生リストを選択する、
ことを特徴とする映像音声記録再生装置。
【請求項６】
請求項２または請求項３記載の映像音声記録再生装置において、
前記再生リスト選択手段は、選択している再生リストに該当する前記被写体識別情報が、所定の期間前記情報解析手段において取得されない場合、該再生リストの選択を解除する、
ことを特徴とする映像音声記録再生装置。
【請求項７】
請求項６記載の映像音声記録再生装置において、
前記再生リスト選択手段は、１度の撮影期間中に、前記再生リストの選択、及び選択解除を繰り返し行う、
ことを特徴とする映像音声記録再生装置。
【請求項８】
請求項６または請求項７記載の映像音声記録再生装置において、
前記再生リスト選択手段は、再生リストの選択、及び選択解除を行ったことを示す情報を、前記再生リスト追加手段に通知するものであり、
前記再生リスト追加手段は、該通知された情報に基づいて再生リストに前記再生手順情報を追加する、
ことを特徴とする映像音声記録再生装置。
【請求項９】
請求項８記載の映像音声記録再生装置において、
再生リスト追加手段は、選択した再生リストに追加する再生手順情報を決定する再生手順決定手段を備える、
ことを特徴とする映像音声記録再生装置。
【請求項１０】
請求項９記載の映像音声記録再生装置において、
前記再生手順決定手段によって決定した再生手順情報は、前記記録媒体に記録された映像音声データを再生する際の再生区間を示す再生区間情報により構成する、
ことを特徴とする映像音声記録再生装置。
【請求項１１】
請求項１０記載の映像音声記録再生装置において、
前記再生手順決定手段は、前記再生リスト選択手段より選択した再生リスト情報が、現在再生リスト追加処理を行っていない場合、前記再生リスト選択手段より再生リスト情報を選択した時点を、前記再生区間情報の開始地点として設定する、
ことを特徴とする映像音声記録再生装置。
【請求項１２】
請求項１０記載の映像音声記録再生装置において、
前記再生手順決定手段は、現在再生リスト追加処理を行っている再生リストが、前記再生リスト選択手段より選択解除した時点を、前記再生区間情報の終了地点として設定する、
ことを特徴とする映像音声記録再生装置。
【請求項１３】
請求項２または請求項３記載の映像音声記録再生装置において、
前記無線信号情報送信手段は、水平方向に対して全方向に無線信号を送信する、
ことを特徴とする映像音声記録再生装置。
【請求項１４】
請求項１３記載の映像音声記録再生装置において、
前記無線信号情報送信手段は、仰角方向に無線信号を送信する、
ことを特徴とする映像音声記録再生装置。
【請求項１５】
請求項２または請求項３記載の映像音声記録再生装置において、
前記無線信号情報受信手段は、指向性を有しており、前記カメラ撮影手段により撮影する方向と同一方向の無線信号情報を受信する、
ことを特徴とする映像音声記録再生装置。
【請求項１６】
請求項２または請求項３記載の映像音声記録再生装置において、
前記無線通信は、光通信である、
ことを特徴とする映像音声記録再生装置。
【請求項１７】
請求項１６記載の映像音声記録再生装置において、
前記カメラ撮影手段は、前記無線信号情報を通信する光を検出する、無線信号情報通信光検出手段をさらに備え、
前記再生リスト選択手段は、前記無線信号情報通信光検出手段にて該通信光を検出したとき、前記無線信号情報を受信したと判断して前記再生リストの選択動作を行う、
ことを特徴とする映像音声記録再生装置。
【請求項１８】
請求項２または請求項３記載の映像音声記録再生装置において、
被写体識別情報が構成された再生リストに対して、該被写体識別情報の変更、及び／または被写体識別情報の追加を行う再生リスト編集手段をさらに備えた、
ことを特徴とする映像音声記録再生装置。
【請求項１９】
ランダムアクセス可能な記録媒体に撮影した映像音声データとともに、前記映像音声データを再生する上での管理情報を記録し再生する映像音声記録再生方法において、
被写体を撮影し、映像音声データとして出力する撮影ステップと、
被写体側からの無線通信により、前記被写体を識別するための被写体識別情報を所定の時間間隔毎に送信する無線信号情報送信ステップと、
前記被写体側からの無線信号情報を受信する無線信号情報受信ステップと、
前記無線信号情報受信ステップで受信した無線信号情報より、被写体識別情報を解析し取得する情報解析ステップと、
前記記録媒体に、映像音声データとともに該映像音声データの再生手順を示す管理情報として記録された複数個の再生リストから、該各再生リスト内に含まれる被写体識別情報を検索し、前記情報解析ステップにて取得した前記被写体識別情報に該当する再生リストを選択する再生リスト選択ステップと、
前記再生リスト選択ステップで選択した再生リストに、前記被写体の撮影に伴い新たに記録した映像音声データの再生手順を示す情報を追加し、該再生手順情報を前記記録媒体に記録する再生リスト追加ステップとを含む、
ことを特徴とする映像音声記録再生方法。
【請求項２０】
請求項１９記載の映像音声記録再生方法において、
前記再生リストは、１つ以上の前記被写体識別情報と、１つ以上の再生手順情報とにより構成される、
ことを特徴とする映像音声記録再生方法。
【請求項２１】
請求項２０記載の映像音声記録再生方法において、
前記再生リスト選択ステップは、前記再生リスト内に含まれる被写体識別情報の検索時、前記情報解析ステップで取得した被写体識別情報に該当する再生リストが存在しない場合、該取得した前記被写体識別情報に該当する再生リストを新たに作成登録する、
ことを特徴とする映像音声記録再生方法。
【請求項２２】
請求項２０記載の映像音声記録再生方法において、
前記再生リスト選択ステップは、前記再生リスト内に含まれる被写体識別情報の検索時、前記情報解析ステップで取得した被写体識別情報に該当する再生リストが複数存在する場合、該当するすべての再生リストを選択する、
ことを特徴とする映像音声記録再生方法。
【請求項２３】
請求項２０記載の映像音声記録再生方法において、
前記再生リスト選択ステップは、選択している再生リストに該当する前記被写体識別情報が、所定の期間前記情報解析ステップにおいて取得されない場合、該再生リストの選択を解除する、
ことを特徴とする映像音声記録再生方法。
【請求項２４】
請求項２３記載の映像音声記録再生方法において、
前記再生リスト選択ステップは、１度の撮影期間中に、前記再生リストの選択、及び選択解除を繰り返し行う、
ことを特徴とする映像音声記録再生方法。
【請求項２５】
請求項２３または請求項２４記載の映像音声記録再生方法において、
前記再生リスト追加ステップは、前記再生リスト選択ステップにて行った再生リストの選択、及び選択解除を示す情報に基づいて再生リストに再生手順情報を追加する、
ことを特徴とする映像音声記録再生方法。
【請求項２６】
請求項２５記載の映像音声記録再生方法において、
前記再生リスト追加ステップは、選択した再生リストに追加する前記再生手順情報を決定する再生手順決定ステップをさらに含む、
ことを特徴とする映像音声記録再生方法。
【請求項２７】
請求項２６記載の映像音声記録再生方法において、
前記再生手順情報は、前記記録媒体に記録された映像音声データを再生する際の再生区間情報により構成し、
前記再生手順決定ステップは、
前記再生リスト選択ステップで選択した再生リストが、現在再生リスト追加処理を行っていない場合、前記再生リスト選択ステップより再生リストを選択した時点を、前記再生区間情報の開始地点として設定し、
現在再生リスト追加処理を行っている再生リストが選択解除した時点を、前記再生区間情報の終了地点として設定する、
ことを特徴とする映像音声記録再生方法。
【請求項２８】
請求項２０記載の映像音声記録再生方法において、
前記無線通信は、光通信である、
ことを特徴とする映像音声記録再生方法。
【請求項２９】
請求項２８記載の映像音声記録再生方法において、
前記撮影ステップは、前記無線信号情報を通信する光を検出する無線信号情報通信光検出ステップをさらに含み、
前記再生リスト選択ステップは、前記無線信号情報通信光検出ステップにて該通信光を検出したとき、前記無線信号情報を受信したと判断して前記再生リストの選択動作を行う、
ことを特徴とする映像音声記録再生方法。
【請求項３０】
請求２０記載の映像音声記録再生方法において、
前記被写体識別情報が構成された再生リストに対して、該被写体識別情報の変更、及び／または被写体識別情報の追加を行う再生リスト編集ステップをさらに備えた、
ことを特徴とする映像音声記録再生方法。
【発明の詳細な説明】
【技術分野】
【０００１】
本発明は、撮影した映像音声データとともに再生する上での管理情報を記録し再生する映像音声記録再生装置、及び映像音声記録再生方法に関するものである。
【背景技術】
【０００２】
従来における、撮影した映像音声データとともに再生する上での管理情報を記録し再生する映像音声記録再生方法、並びに装置は、撮影開始前にあらかじめ、撮影モード（たとえば、標準モード、人物録画モード、スポーツ録画モード、風景モード、サーフアンドスノーモード）や、撮影者情報を設定しておき、撮影終了時にこれら撮影モードや撮影者情報、また撮影日時情報の撮影情報に応じた再生リストを自動的に選択して、撮影した画像データを選択した再生リストに自動的に登録している。（例えば、特許文献１参照）
【０００３】
図１４において、１４０６は撮影モード設定部、１４０７は撮影者設定部、１４０８は時計部、１４０５はシステムコントロール部、１４０３は再生リスト選択部、１４０１は再生リスト生成部、１４０２はファイルシステム、１４０４は再生リスト編集部である。
【０００４】
次に、従来における映像音声記録再生装置、及び映像音声記録再生方法の動作について説明する。
まず、撮影を開始する前に、撮影者設定部１４０７において、撮影者を入力設定し、撮影モード設定部１４０６において、撮影モード（たとえば、標準モード、人物録画モード、スポーツ録画モード、風景モード、サーフアンドスノーモード）を設定し、システムコントロール部１４０５は、設定された撮影モードにしたがって撮影するように各部を制御し、さらに設定された撮影者情報、撮影モード情報を保持しておく。
【０００５】
撮影終了時、使用者からの撮影の停止命令をシステムコントロール部１４０５が検知し、各部に撮影の停止制御を行うとともに、保持していた撮影者情報、撮影モード情報、及び時計部１４０８より取得した現在の日時の情報を、再生リスト選択部１４０３に送り、再生リスト選択部１４０３は、入力された撮影者情報、撮影モード情報、撮影日時情報に対応する再生リストが記録媒体に存在するかファイルシステム１４０２を使用して検索する。
【０００６】
そして、入力された撮影者情報、撮影モード情報、撮影日時情報に対応する再生リストが記録媒体に存在する場合、再生リスト編集部１４０４において対応する再生リストに今回撮影したデータを追加する。入力された撮影者情報、撮影モード情報、撮影日時情報に対応する再生リストが記録媒体に存在しない場合、再生リスト生成部において新たに再生リストを生成した後、再生リスト編集部１４０４において新たに生成した再生リストに今回撮影したデータを追加する。
【０００７】
このように、従来の映像音声記録再生装置、及び映像音声記録再生方法では、撮影者情報、撮影モード情報、撮影日時情報に対応して自動的に編集を行うことができる。
【特許文献１】特開２００２−３５４４２５号公報（第２−６頁、第４図）
【発明の開示】
【発明が解決しようとする課題】
【０００８】
しかしながら、前記従来の構成では、設定している撮影モード等に対応する再生リストの自動作成、自動編集を行うことはできるものの、被写体毎に再生リストの自動作成、自動編集を行うことはできないという課題を有していた。
【０００９】
また、前記従来の構成では、撮影の停止時に再生リストの自動作成、自動編集を実行するため、１度の撮影に対して、１回の再生リストの自動作成、自動編集しか実現できず、１度の撮影の中で、複数回の再生リストの自動作成、自動編集を行うことはできないという課題も有していた。
【００１０】
本発明は、前記従来の課題を解決するものであり、被写体毎の再生リストの作成、編集を実行することのできる映像音声記録再生装置、及び映像音声記録再生方法を提供することを目的とする。
【００１１】
また、１度の撮影期間中に複数回の再生リストの作成、編集を実現できる映像音声記録再生装置、及び映像音声記録再生方法を提供することを目的とする。
【課題を解決するための手段】
【００１２】
上記課題を解決するために、本発明の請求項１に係る映像音声記録再生装置は、ランダムアクセス可能な記録媒体に、撮影した映像音声データとともに該映像音声データを再生する上での管理情報を記録し、該管理情報を基に前記映像音声データを再生する映像音声記録再生装置において、被写体を撮影し、映像音声データとして出力するカメラ撮影手段と、前記映像音声データと該映像音声データに対応する前記管理情報とを、前記記録媒体に対して読み書きするデータアクセス手段と、被写体に設置され、無線通信により、前記被写体を識別するための被写体識別情報を該被写体側から所定の時間間隔毎に送信する無線信号情報送信手段と、前記無線信号情報送信手段からの無線信号情報を受信する無線信号情報受信手段と、前記無線信号情報受信手段で受信した無線信号情報より、被写体識別情報を解析し取得する情報解析手段と、前記記録媒体に、映像音声データとともに該映像音声データの再生手順を示す管理情報として記録された複数個の再生リストから、該各再生リスト内に含まれる被写体識別情報を検索し、前記情報解析手段により取得した前記被写体識別情報に該当する再生リストを選択する再生リスト選択手段と、前記再生リスト選択手段により選択した再生リストに、前記被写体の撮影に伴い新たに記録した映像音声データの再生手順を示す情報を追加し、該再生手順情報を前記記録媒体に記録する再生リスト追加手段とを備えたことを特徴とするものである。
【００１３】
これにより、被写体が現在撮影されているか否かを識別し、被写体が撮影されている期間、被写体に該当する再生リストを自動的に検出して登録処理を行うことにより、被写体毎の再生リストの自動作成、自動編集を行うことができる。
【００１４】
また、本発明の請求項２に係る映像音声記録再生装置は、請求項１記載の映像音声記録再生装置において、前記被写体識別情報は、前記無線信号情報送信手段固有の識別情報によって構成される情報であることを特徴とするものである。
【００１５】
これにより、無線を用いて、被写体側から被写体識別情報を送信することができる。
【００１６】
また、本発明の請求項３に係る映像音声記録再生装置は、請求項１記載の映像音声記録再生装置において、前記再生リストは、１つ以上の前記被写体識別情報と、１つ以上の再生手順情報とにより構成されることを特徴とするものである。
【００１７】
これにより、被写体毎に再生リストを作成することができる。
【００１８】
また、本発明の請求項４に係る映像音声記録再生装置は、請求項２または請求項３記載の映像音声記録再生装置において、前記再生リスト選択手段は、前記再生リスト内に含まれる被写体識別情報の検索時、前記情報解析手段により取得した被写体識別情報に該当する再生リストが存在しない場合、該取得した被写体識別情報に該当する再生リストを新たに作成登録することを特徴とするものである。
【００１９】
これにより、記録媒体内に、撮影した被写体に該当する再生リストが存在しない場合も、自動的に再生リストを作成できる。
【００２０】
また、本発明の請求項５に係る映像音声記録再生装置は、請求項２または請求項３記載の映像音声記録再生装置において、前記再生リスト選択手段は、前記情報解析手段より取得した被写体識別情報に該当する再生リストが複数存在する場合、該当するすべての再生リストを選択することを特徴とするものである。
【００２１】
これにより、撮影した被写体に該当する再生リストが複数存在する場合も、容易に再生リストを作成することができる。
【００２２】
また、本発明の請求項６に係る映像音声記録再生装置は、請求項２または請求項３記載の映像音声記録再生装置において、前記再生リスト選択手段は、選択している再生リストに該当する前記被写体識別情報が、所定の期間前記情報解析手段において取得されない場合、該再生リストの選択を解除することを特徴とするものである。
【００２３】
これにより、被写体が撮影されている期間に応じて再生リストを選択することができる。
【００２４】
また、本発明の請求項７に係る映像音声記録再生装置は、請求項６記載の映像音声記録再生装置において、前記再生リスト選択手段は、１度の撮影期間中に、前記再生リストの選択、及び選択解除を繰り返し行うことを特徴とするものである。
【００２５】
これにより、１度の撮影期間中に、被写体が撮影されている期間が複数回存在する場合、複数回、被写体に該当する再生リストを自動的に検出して登録処理を行うことにより、１度の撮影期間中に複数回、被写体毎の再生リストの自動作成、自動編集を行うことができる。
【００２６】
また、本発明の請求項８に係る映像音声記録再生装置は、請求項６または請求項７記載の映像音声記録再生装置において、前記再生リスト選択手段は、再生リストの選択、及び選択解除を行ったことを示す情報を、前記再生リスト追加手段に通知するものであり、前記再生リスト追加手段は、該通知された情報に基づいて再生リストに前記再生手順情報を追加することを特徴とするものである。
【００２７】
これにより、再生リストの選択、及び選択解除に基づいた再生手順情報を追加することができる。
【００２８】
また、本発明の請求項９に係る映像音声記録再生装置は、請求項８記載の映像音声記録再生装置において、再生リスト追加手段は、選択した再生リストに追加する再生手順情報を決定する再生手順決定手段を備えることを特徴とするものである。
【００２９】
これにより、再生リストの選択、及び選択解除に基づいた再生手順情報を追加することができる。
【００３０】
また、本発明の請求項１０に係る映像音声記録再生装置は、請求項９記載の映像音声記録再生装置において、前記再生手順決定手段によって決定した再生手順情報は、前記記録媒体に記録された映像音声データを再生する際の再生区間を示す再生区間情報により構成することを特徴とするものである。
【００３１】
これにより、被写体毎の再生を容易に行うことができる。
【００３２】
また、本発明の請求項１１に係る映像音声記録再生装置は、請求項１０記載の映像音声記録再生装置において、前記再生手順決定手段は、前記再生リスト選択手段より選択した再生リスト情報が、現在再生リスト追加処理を行っていない場合、前記再生リスト選択手段より再生リスト情報を選択した時点を、前記再生区間情報の開始地点として設定することを特徴とするものである。
【００３３】
これにより、被写体が撮影された期間に応じて再生リストの追加処理を行うことができる。
【００３４】
また、本発明の請求項１２に係る映像音声記録再生装置は、請求項１０記載の映像音声記録再生装置において、前記再生手順決定手段は、現在再生リスト追加処理を行っている再生リストが、前記再生リスト選択手段より選択解除した時点を、前記再生区間情報の終了地点として設定することを特徴とするものである。
【００３５】
これにより、被写体が撮影された期間に応じて再生リストの追加処理を行うことができる。
【００３６】
また、本発明の請求項１３に係る映像音声記録再生装置は、請求項２または請求項３記載の映像音声記録再生装置において、前記無線信号情報送信手段は、水平方向に対して全方向に無線信号を送信することを特徴とするものである。
【００３７】
これにより、無線信号情報受信手段にて容易に被写体識別情報を受信することができる。
【００３８】
また、本発明の請求項１４に係る映像音声記録再生装置は、請求項１３記載の映像音声記録再生装置において、前記無線信号情報送信手段は、仰角方向に無線信号を送信することを特徴とするものである。
【００３９】
これにより、無線信号情報受信手段にて容易に被写体識別情報を受信することができる。
【００４０】
また、本発明の請求項１５に係る映像音声記録再生装置は、請求項２または請求項３記載の映像音声記録再生装置において、前記無線信号情報受信手段は、指向性を有しており、前記カメラ撮影手段により撮影する方向と同一方向の無線信号情報を受信することを特徴とするものである。
【００４１】
これにより、被写体を撮影するとともに、被写体識別情報を受信することができる。
【００４２】
また、本発明の請求項１６に係る映像音声記録再生装置は、請求項２または請求項３記載の映像音声記録再生装置において、前記無線通信は、光通信であることを特徴とするものである。
【００４３】
これにより、無線信号情報受信手段で容易に被写体識別情報を受信することができる。
【００４４】
また、本発明の請求項１７に係る映像音声記録再生装置は、請求項１６記載の映像音声記録再生装置において、前記カメラ撮影手段は、前記無線信号情報を通信する光を検出する、無線信号情報通信光検出手段をさらに備え、前記再生リスト選択手段は、前記無線信号情報通信光検出手段にて該通信光を検出したとき、前記無線信号情報を受信したと判断して前記再生リストの選択動作を行うことを特徴とするものである。
【００４５】
これにより、無線信号情報受信手段による無線信号情報の受信とともに通信光を検出することにより、無線信号情報の誤り検知を低減することができる。
【００４６】
また、本発明の請求項１８に係る映像音声記録再生装置は、請求項２または請求項３記載の映像音声記録再生装置において、被写体識別情報が構成された再生リストに対して、該被写体識別情報の変更、及び／または被写体識別情報の追加を行う再生リスト編集手段をさらに備えたことを特徴とするものである。
【００４７】
これにより、１つの再生リストに複数の被写体識別情報を該当させる、また、１つの被写体識別情報に該当する再生リストの複数作成する等、多様な再生リストを作成することができる。
【００４８】
また、本発明の請求項１９に係る映像音声記録再生方法は、ランダムアクセス可能な記録媒体に撮影した映像音声データとともに、前記映像音声データを再生する上での管理情報を記録し再生する映像音声記録再生方法において、被写体を撮影し、映像音声データとして出力する撮影ステップと、被写体側からの無線通信により、前記被写体を識別するための被写体識別情報を所定の時間間隔毎に送信する無線信号情報送信ステップと、前記被写体側からの無線信号情報を受信する無線信号情報受信ステップと、前記無線信号情報受信ステップで受信した無線信号情報より、被写体識別情報を解析し取得する情報解析ステップと、前記記録媒体に、映像音声データとともに該映像音声データの再生手順を示す管理情報として記録された複数個の再生リストから、該各再生リスト内に含まれる被写体識別情報を検索し、前記情報解析ステップにて取得した前記被写体識別情報に該当する再生リストを選択する再生リスト選択ステップと、前記再生リスト選択ステップで選択した再生リストに、前記被写体の撮影に伴い新たに記録した映像音声データの再生手順を示す情報を追加し、該再生手順情報を前記記録媒体に記録する再生リスト追加ステップとを含むことを特徴とするものである。
【００４９】
これにより、被写体が現在撮影されているか否かを識別し、被写体が撮影されている期間、被写体に該当する再生リストを自動的に検出して登録処理を行うことにより、被写体毎の再生リストの自動作成、自動編集を行うことができる。
【００５０】
また、本発明の請求項２０に係る映像音声記録再生方法は、請求項１９記載の映像音声記録再生方法において、前記再生リストは、１つ以上の前記被写体識別情報と、１つ以上の再生手順情報とにより構成されることを特徴とするものである。
【００５１】
これにより、被写体毎に再生リストを作成することができる。
【００５２】
また、本発明の請求項２１に係る映像音声記録再生方法は、請求項２０記載の映像音声記録再生方法において、前記再生リスト選択ステップは、前記再生リスト内に含まれる被写体識別情報の検索時、前記情報解析ステップで取得した被写体識別情報に該当する再生リストが存在しない場合、該取得した前記被写体識別情報に該当する再生リストを新たに作成登録することを特徴とするものである。
【００５３】
これにより、記録媒体内に、撮影した被写体に該当する再生リストが存在しない場合も、自動的に再生リストを作成できる。
【００５４】
また、本発明の請求項２２に係る映像音声記録再生方法は、請求項２０記載の映像音声記録再生方法において、前記再生リスト選択ステップは、前記再生リスト内に含まれる被写体識別情報の検索時、前記情報解析ステップで取得した被写体識別情報に該当する再生リストが複数存在する場合、該当するすべての再生リストを選択することを特徴とするものである。
【００５５】
これにより、撮影した被写体に該当する再生リストが複数存在する場合も、容易に再生リストを作成することができる。
【００５６】
また、本発明の請求項２３に係る映像音声記録再生方法は、請求項２０記載の映像音声記録再生方法において、前記再生リスト選択ステップは、選択している再生リストに該当する前記被写体識別情報が、所定の期間前記情報解析ステップにおいて取得されない場合、該再生リストの選択を解除することを特徴とするものである。
【００５７】
これにより、被写体が撮影されている期間に応じて再生リストを選択することができる。
【００５８】
また、本発明の請求項２４に係る映像音声記録再生方法は、請求項２３記載の映像音声記録再生方法において、前記再生リスト選択ステップは、１度の撮影期間中に、前記再生リストの選択、及び選択解除を繰り返し行うことを特徴とするものである。
【００５９】
これにより、１度の撮影期間中に、被写体が撮影されている期間が複数回存在する場合、複数回、被写体に該当する再生リストを自動的に検出して登録処理を行うことにより、１度の撮影期間中に複数回、被写体毎の再生リストの自動作成、自動編集を行うことができる。
【００６０】
また、本発明の請求項２５に係る映像音声記録再生方法は、請求項２３または請求項２４記載の映像音声記録再生方法において、前記再生リスト追加ステップは、前記再生リスト選択ステップにて行った再生リストの選択、及び選択解除を示す情報に基づいて再生リストに再生手順情報を追加することを特徴とするものである。
【００６１】
これにより、再生リストの選択、及び選択解除に基づいた再生手順情報を追加することができる。
【００６２】
また、本発明の請求項２６に係る映像音声記録再生方法は、請求項２５記載の映像音声記録再生方法において、前記再生リスト追加ステップは、選択した再生リストに追加する前記再生手順情報を決定する再生手順決定ステップをさらに含むことを特徴とするものである。
【００６３】
これにより、再生リストの選択、及び選択解除に基づいた再生手順情報を追加することができる。
【００６４】
また、本発明の請求項２７に係る映像音声記録再生方法は、請求項２６記載の映像音声記録再生方法において、前記再生手順情報は、前記記録媒体に記録された映像音声データを再生する際の再生区間情報により構成し、前記再生手順決定ステップは、前記再生リスト選択ステップで選択した再生リストが、現在再生リスト追加処理を行っていない場合、前記再生リスト選択ステップより再生リストを選択した時点を、前記再生区間情報の開始地点として設定し、現在再生リスト追加処理を行っている再生リストが選択解除した時点を、前記再生区間情報の終了地点として設定することを特徴とするものである。
【００６５】
これにより、被写体毎の再生を容易に行うことができ、また、被写体が撮影された期間に応じて再生リストの追加処理を行うことができる。
【００６６】
また、本発明の請求項２８に係る映像音声記録再生方法は、請求項２０記載の映像音声記録再生方法において、前記無線通信は、光通信であることを特徴とするものである。
【００６７】
これにより、無線信号情報受信手段で容易に被写体識別情報を受信することができる。
【００６８】
また、本発明の請求項２９に係る映像音声記録再生方法は、請求項２８記載の映像音声記録再生方法において、前記撮影ステップは、前記無線信号情報を通信する光を検出する無線信号情報通信光検出ステップをさらに含み、前記再生リスト選択ステップは、前記無線信号情報通信光検出ステップにて該通信光を検出したとき、前記無線信号情報を受信したと判断して前記再生リストの選択動作を行うことを特徴とするものである。
【００６９】
これにより、無線信号情報受信ステップによる無線信号情報の受信とともに通信光を検出することにより、無線信号情報の誤り検知を低減することができる。
【００７０】
また、本発明の請求項３０に係る映像音声記録再生方法は、請求２０記載の映像音声記録再生方法において、前記被写体識別情報が構成された再生リストに対して、該被写体識別情報の変更、及び／または被写体識別情報の追加を行う再生リスト編集ステップをさらに備えたことを特徴とするものである。
【００７１】
これにより、１つの再生リストに複数の被写体識別情報を該当させる、また、１つの被写体識別情報に該当する再生リストの複数作成する等、多様な再生リストを作成することができる。
【発明の効果】
【００７２】
以上のように、本発明の映像音声記録再生装置、及び映像音声記録再生方法によれば、ランダムアクセス可能な記録媒体に撮影した映像音声データとともに、映像音声データを再生する上での管理情報を記録し再生する映像音声記録再生装置、及び映像音声記録再生方法において、被写体側からの無線通信により、前記被写体を識別するための被写体識別情報を無線信号情報として所定の時間間隔毎に送信し、該無線信号情報を受信し、該受信した無線信号情報から被写体識別情報を解析して取得し、被写体の撮影に伴い、映像音声データとして出力するとともに、前記記録媒体に映像音声データの管理情報として記録された、映像音声データの再生手順を示す複数個の再生リストから、該各再生リスト内に含まれる被写体識別情報を検索し、前記取得した被写体識別情報に該当する被写体識別情報に該当する再生リストを選択し、該選択した再生リストに、撮影に伴い新たに記録した映像音声データの再生手順を示す情報を追加し、該再生手順情報を記録媒体に記録するようにしたので、被写体が現在撮影されているか否かを識別し、被写体が撮影されている期間、被写体に該当する再生リストを自動的に検出して登録処理を行うことにより、被写体毎の再生リストの自動作成、自動編集を行うことができる効果がある。
【００７３】
また、本発明の映像音声記録再生装置、及び映像音声記録再生方法によれば、１度の撮影期間中において、１度の撮影期間中に再生リストの選択開始、及び選択解除を繰り返し行うようにしたので、１度の撮影期間中に、被写体が撮影されている期間が複数回存在する場合、複数回、被写体に該当する再生リストを自動的に検出して登録処理を行うことにより、１度の撮影期間中に複数回、被写体毎の再生リストの自動作成、自動編集を行うこともできる効果がある。
【００７４】
また、本発明の映像音声記録再生装置、及び映像音声記録再生方法によれば、無線信号情報を通信する光を検出するようにし、該通信光を検出したとき、無線信号情報を受信したと判断して再生リストの選択動作を行うようにしたので、無線信号情報の誤り検知を低減することができる効果がある。
【００７５】
また、本発明の映像音声記録再生装置、及び映像音声記録再生方法によれば、被写体識別情報が構成された再生リストに対して、該被写体識別情報の変更、及び／または被写体識別情報の追加を行うようにしたので、１つの再生リストに複数の被写体識別情報を該当させる、また、１つの被写体識別情報に該当する再生リストを複数作成する等、多様な再生リストを作成することができる効果がある。
【発明を実施するための最良の形態】
【００７６】
（実施の形態１）
以下に、本発明の映像音声記録再生装置の実施の形態を図面とともに詳細に説明する。なお、以下の各実施の形態では、記録媒体にＳＤメモリカードを使用した例について説明する。すなわち、ＳＤメモリカードは、動画像の記録、及び再生リストの記録に所定の規則を備えており、本発明の特徴の説明に適しているものである。
【００７７】
図１は本発明の実施の形態１における映像音声記録再生装置のブロック図である。図２は本発明の実施の形態１における撮影開始から撮影終了までの再生リスト自動登録処理を表したチャート図を示す。
【００７８】
まず、図１、図２を用いて映像音声記録再生装置の構成と、撮影開始から撮影終了までの再生リスト自動登録処理の概要を説明する。
図１において、本発明の実施の形態１に係る映像音声記録再生装置１００は、映像音声記録再生装置本体１０１と、被写体に設置され、該被写体側からの無線通信により、被写体を識別するための被写体識別情報を、所定の時間間隔毎に映像音声記録再生装置本体１０１に送信する無線信号情報送信部１０２とから構成される。
【００７９】
また、映像音声記録再生装置本体１０１は、被写体を撮影し、映像音声データとして出力するカメラ撮像部１０３と、無線信号情報送信部１０２からの無線信号情報１１０を受信する無線信号情報受信部１０４と、無線信号情報受信部１０４で受信した無線信号情報より被写体識別情報を解析し取得する情報解析部１０５と、記録媒体１０９内に、映像音声データとともに該映像音声データの再生手順を示す管理情報として記録された複数個の再生リストから、該各再生リスト内に含まれる被写体識別情報を検索し、情報解析部１０５で取得した被写体識別情報に該当する再生リストを選択する再生リスト選択部１０６と、選択した再生リストに、新たに記録した映像音声データの再生手順を示す情報を追加し、該再生手順情報を記録媒体に記録する再生リスト追加部１０７と、映像音声データと映像音声データを再生する上での管理情報とを、記録媒体に読み書きするデータアクセス部１０８と、ランダムアクセス可能な記録媒体１０９とから構成される。
【００８０】
また、再生リスト追加部１０７は、該再生リスト追加部１０７における再生手順情報を決定する再生手順決定部１１１を備え、カメラ撮像部１０３は、無線通信を光通信で行う際の無線情報通信光検出部１１２を備える。
【００８１】
次に、本発明の実施の形態１に係る映像音声記録再生装置の動作を、図１、図２を用いて説明する。
【００８２】
図２は、本実施の形態１に係る映像音声記録再生装置１００における撮影開始から撮影終了までの再生リストの登録処理を示すフローチャートである。
まず、撮影ステップでは、被写体を撮影した際、映像音声記録再生装置本体１０１のカメラ撮像部１０３より撮影した映像音声データは出力され、データアクセス部１０８を介して記録媒体１０９に記録される。
【００８３】
また、無線信号情報送信ステップでは、前記撮影と同時に、被写体に設置した無線信号情報送信部１０２より、被写体識別情報を無線信号情報１１０として所定の時間間隔（Ｍ）毎に送信する。また、被写体識別情報は、無線信号情報送信部１０２固有のＩＤ値によって形成する情報とする。
【００８４】
そして、無線信号情報受信ステップでは、無線信号情報送信部１０２から送信された被写体識別情報を、映像音声記録再生装置本体１０１の無線信号情報受信部１０４により無線信号情報１１０として受信し、情報解析ステップでは、受信した無線信号情報１１０を情報解析部１０５により解析し（ステップＳ２０１）、解析の結果、受信した信号に被写体識別情報が存在する場合（ステップＳ２０２）、被写体識別情報を取得する（ステップＳ２０３）。
【００８５】
また、再生リスト選択ステップでは、ステップＳ２０３で被写体識別情報を取得したとき、再生リスト選択部１０６において、データアクセス部１０８を介して記録媒体１０９内の再生リストを読み出し、被写体識別情報に該当する再生リストを検索する（ステップ２０４）。そして、被写体識別情報に該当する再生リストが存在する場合（ステップＳ２０５）、再生リスト選択部１０６において、被写体識別情報に該当する再生リストを選択する（ステップＳ２０７）。また、ステップＳ２０５において、被写体識別情報に該当する再生リストが複数存在する場合、再生リスト選択部１０６は、ステップＳ２０７にて、被写体識別情報に該当するすべての再生リストを選択する。
【００８６】
また、再生リスト内に含まれる被写体識別情報の検索時において、被写体識別情報に該当する再生リストが存在しない場合（ステップＳ２０５）、再生リスト選択部１０６は、新たに被写体識別情報に該当する再生リストを生成し（ステップＳ２０６）、生成した再生リストを選択する（ステップＳ２０７）。ステップＳ２０６において再生リストを生成する際には、被写体識別情報と関連付けを行うため、再生リストに被写体識別情報を格納する。
【００８７】
さらに、再生リスト選択ステップは、再生リスト選択部１０６により、ステップＳ２０７にて選択した再生リストに該当する被写体識別情報が、所定の期間（＝Ｎ）以上取得されなくなった時点で、再生リストの選択を解除し、再生リストの選択開始及び選択解除を行ったことを再生リスト追加部１０７に通知する（ステップ２０８）。なお、無線信号情報の送信における所定の時間間隔（＝Ｍ）と、被写体識別情報の取得における所定の期間（＝Ｎ）の関係は、Ｎ＞Ｍとする。
【００８８】
そして、再生リスト追加ステップでは、再生リストの選択開始と選択解除の通知を受けた再生リスト追加部１０７が、再生リスト選択ステップで選択した再生リストに、撮影に伴い新たに記録した映像音声データの再生手順を示す情報を追加し、該再生手順情報を記録媒体１０９に記録する。このとき、再生手順決定ステップでは、再生手順決定部１１１により、再生リストの選択開始から選択解除までの期間を、再生リストに該当する被写体識別情報を送信した無線信号情報送信部１０２を設置した被写体が撮影された期間と決定し（ステップＳ２０９）、再生リスト追加部１０７により、選択した１つあるいは複数の再生リストに再生手順情報を追加する（ステップ２１０）。この再生手順情報は、映像音声データを再生する際の再生区間を表す情報であり、再生リスト選択部１０６より通知された再生リストの選択開始時点の記録開始時からのオフセット時間から、再生リストの選択終了時点の記録開始時からのオフセット時間までの区間に相当する。再生リスト追加部１０７において、情報の追加処理をおこなった再生リストをデータアクセス部１０８を介して、記録媒体１０９に再生リストを記録する。
【００８９】
以上の動作を撮影動作を停止させるまで行い、撮影が停止された場合（ステップＳ２１１）、撮影を終了する。
【００９０】
次に、本実施の形態１に係る映像音声記録再生装置における記録媒体としているＳＤメモリカードがどのようなファイル/ディレクトリ構造を有しており、また再生リスト情報ファイルの構造がどのようなものであるかについて説明する。
【００９１】
図３はＳＤメモリカードが有しているファイル/ディレクトリ構造図を示す。図４は再生リスト情報ファイルの構造図を示す。
図３において、ＳＤメモリカードのディレクトリ構成では、ルートディレクトリ３０１の直下は、ＳＤ＿ＶＩＤＥＯ３０２というサブディレクトリが配置される。ＳＤ＿ＶＩＤＥＯディレクトリ３０２は、動画像等のコンテンツを記録するディレクトリとされている。また、ＳＤ＿ＶＩＤＥＯディレクトリ３０２下には、ＭＧＲ＿ＩＮＦＯ３０３というＳＤ＿ＶＩＤＥＯディレクトリ３０２下全体のコンテンツの管理情報ファイルを格納するディレクトリと、ＰＲＧ００１（３０４）、ＰＲＧ００３（３０５）・・・・というコンテンツを格納するプログラムディレクトリ（以下ＰＲＧディレクトリと表す）が配置されている。ＭＧＲ＿ＩＮＦＯディレクトリ３０３下には、ＳＤ＿ＶＩＤＥＯディレクトリ下のファイル／ディレクトリ構成、管理情報等を記録する管理情報ファイルであるＭＧＲ＿ＤＡＴＡファイル３０６と、ＳＤ＿ＶＩＤＥＯディレクトリ３０２下すべてのプログラムディレクトリの管理情報ファイルであるＰＲＧ＿ＭＧＲファイル３０７と再生リスト情報ファイルであるＰＬＳＴ＿ＭＧＲ３０８が配置されている。また、ＰＲＧ００１プログラムディレクトリ３０４下には、ＰＲＧ００１プログラムディレクトリ３０４下すべてのコンテンツ管理情報ファイルであるＰＲＧ００１.ＰＧＩファイル（３０９，以下ＰＧＩファイルと表す）と、動画像コンテンツファイルであるＭＯＶ００１.ＭＯＤ（３１０，以下ＭＯＤファイルと表す）と、動画像コンテンツファイルであるＭＯＶ００１.ＭＯＤ３１０の管理情報ファイルであるＭＯＶ００１.ＭＯＩ（３１１，以下ＭＯＩファイルと表す）が配置されている。ＰＲＧディレクトリには、１つのＰＧＩファイルと、複数のＭＯＤファイル、複数のＭＯＩファイルが配置可能であり、１つのＭＯＤファイルには、拡張子を除くファイル名が同一のＭＯＩファイルが必ず配置される。また、ＰＧＩファイルには、プログラムディレクトリ下すべての動画像コンテンツファイルの再生時間情報が保持されている。
【００９２】
図４において、再生リスト情報ファイル４０１は、再生リスト情報ファイル４０１におけるヘッダ部４０２と、再生リスト情報ファイル４０１における再生リスト部４０３とから構成される。ファイルヘッダ部４０２は、再生リスト情報ファイル４０１における再生リスト情報ファイルのデータサイズ値４０４と、再生リスト情報ファイル４０１における再生リスト数情報値（＝Ｘ）４０５とから構成され、再生リスト部４０３は、複数個の再生リスト情報４０６から構成される。
【００９３】
次に、再生リスト情報４０６の構成について説明する。図において、再生リスト情報４０６は、再生リスト情報４０６におけるヘッダ部４０７と、再生リスト情報４０６における再生区間情報部４０８とから構成される。再生リストヘッダ部４０７は、ヘッダ部４０７における再生リスト情報４０６のデータサイズ値４０９と、ヘッダ部４０７におけるＴｅｘｔ情報格納領域４１０と、再生区間数情報（＝Ｙ）４１１とから構成され、再生区間情報部４０８は、１つ以上の再生区間情報値４１２で構成される。また、Ｔｅｘｔ情報格納領域４１０には、１つ以上の被写体識別情報を示すＩＤ値が格納されている。なお、再生リスト情報ファイル４０１のデータサイズ値は可変長であり、再生リスト情報ファイル４０１におけるヘッダ部４０２のデータサイズ値は固定長、再生リスト情報４０６のデータサイズ値は可変長、再生リスト情報４０６におけるヘッダ部４０７のデータサイズ値４０９は固定長、再生区間情報値４１２は固定長である。
【００９４】
再生リスト情報ファイルであるＰＬＳＴ＿ＭＧＲ３０８には、最大９９個の再生リスト情報４０６を格納することが可能であり、現在格納されている再生リスト数は再生リスト数情報値（＝Ｘ）によって表される。また１つの再生リスト情報の中には、再生区間情報４１２を最大９９個格納することが可能であり、現在格納されている再生区間情報数は再生区間数情報（＝Ｙ）によって表される。また再生区間情報は、ＳＤ＿ＶＩＤＥＯディレクトリ下のすべてのＰＲＧディレクトリ下の動画像コンテンツを対象することが可能であり、その情報はＰＲＧディレクトリに記録されているすべての動画像コンテンツを連結させた総再生区間における、先頭からのオフセット時間により表している。
【００９５】
また、再生リスト情報４０６の中には再生区間情報４１２のみでなくテキスト情報４１０等、汎用的な情報を格納する領域も設けられている。
【００９６】
次に、図３、図４を用いて、記録媒体１０９をＳＤカードとした場合の、ステップＳ２０４での被写体識別情報に該当する再生リストの検索、ステップＳ２０６での再生リストの新規生成、及びステップＳ２１０での再生リストへの再生手順情報の追加処理に関して詳細に説明する。
【００９７】
再生リスト選択部１０６による、ステップＳ２０４における被写体識別情報に該当する再生リストを検索する処理は、まず、ＳＤカード内のＰＬＳＴ＿ＭＧＲファイル３０８をオープンし、ＰＬＳＴ＿ＭＧＲファイル３０８のヘッダ部４０２内に存在する再生リスト数情報値（＝Ｘ）４０５を取得する。再生リスト数情報値（＝Ｘ）４０５で表される個数分ＳＤカード内に再生リストが存在するため、Ｘ個分再生リスト情報を取得し解析を行う。再生リスト情報の解析では、再生リスト情報４０６のヘッダ部４０７内に存在するＴｅｘｔ情報格納領域４１０内の情報を取得し、情報解析部１０５により取得した被写体識別情報を表すＩＤ値と、取得したＴｅｘｔ情報格納領域４１０内の情報とを比較し、これらの情報が一致すれば、情報解析部１０５により取得した被写体識別情報に該当する再生リストと判断する。これらの処理を取得したＸ個分の再生リストすべてに対して実行し、終了した時点で、被写体識別情報に該当する再生リストの検索を完了する。
【００９８】
また、再生リスト選択部１０６は、情報解析部１０５により取得した被写体識別情報に該当する再生リストが存在しない場合に行う、ステップＳ２０６での再生リストの新規生成処理において、まず、ＳＤカード内のＰＬＳＴ＿ＭＧＲファイル３０８をオープンし、ＰＬＳＴ＿ＭＧＲファイル３０８のヘッダ部４０２内に存在する再生リスト数情報値（＝Ｘ）４０５を取得する。そして再生リスト数情報値（＝Ｘ）４０５で表される個数分の再生リストがＳＤカード内に存在するため、Ｘ＋１番目に追加する再生リスト情報を新規に作成する。まず、再生リストヘッダ部４０７の領域を作成する、この時点では、再生区間数情報（＝Ｙ）は０とし、再生リスト情報４０６のデータサイズ値４０９は、再生リストヘッダ部４０７の領域分のサイズとする。また、Ｔｅｘｔ情報格納領域４１０には、被写体識別情報に関連付けるため、被写体識別情報を表すＩＤ値を代入する。このように作成した再生リストヘッダ部４０７をＸ＋１番目に追加する再生リスト情報として、ＰＬＳＴ＿ＭＧＲファイル３０８の終端に追加記録し、再生リスト数情報値（＝Ｘ）４０５を１インクリメントし、再生リスト情報ファイルのデータサイズ値４０４に、追加した再生リスト情報のデータサイズ値４０９を追加することによって、再生リストの新規作成処理を完了する。
【００９９】
次に、ステップＳ２１０における再生リストへの再生手順情報の追加処理について説明する。撮影に伴う動画像コンテンツファイルの記録を、図３におけるＰＲＧ００１プログラムディレクトリ３０４下のＭＯＶ００２.ＭＯＤ３１２として記録する場合を例に挙げる。
【０１００】
まず、選択した再生リスト情報４０７の再生区間数情報（＝Ｙ）４１１を取得する。再生区間数情報（＝Ｙ）４１１で表される個数分、選択した再生リストには再生区間情報が存在するため、Ｙ＋１番目に追加する再生区間情報を新規に作成する。再生区間情報は、ＰＲＧ００１プログラムディレクトリ３０４下の全動画像コンテンツファイルの総再生時間におけるオフセット時間で表す。まず、ＰＲＧ００１プログラムディレクトリ３０４下のＰＧＩファイルであるＰＲＧ００１.ＰＧＩファイル（３０９）より、ＭＯＶ００２.ＭＯＤ（３１２）以外の動画像コンテンツファイルの総再生時間（＝Ｔ）を取得する。撮影開始時から再生リスト選択時までのオフセット時間をＴsとし、撮影開始時から再生リスト選択終了時までのオフセット時間をＴeとすると、再生区間数情報として登録する情報は、再生区間の開始時点をＴ＋Ｔｓ、再生区間の終了時点をＴ＋Ｔｅとする。この再生区間情報を選択した再生リスト情報４０６に追加し、再生区間数情報（＝Ｙ）４１１を１インクリメントし、再生リスト情報４０６のデータサイズ値４０９に、追加した再生区間情報分のサイズを追加する。次に、再生区間情報を追加した再生リスト情報をＰＬＳＴ＿ＭＧＲファイル３０８の再生リスト情報と差し替え更新する。その際、差し替え更新する再生リスト情報が、最後（ファイル終端）のものでない場合は、差し替え更新する再生リスト情報の後方に存在する再生リスト情報を追加した再生区間情報分のサイズ値分後にシフトさせる。その後、再生リスト情報ファイルのデータサイズ値４０４に、追加した再生区間情報分のサイズ値を追加する。この作業を選択した再生リストすべてに実行することによって、再生リストへの再生手順情報の追加処理を完了する。
【０１０１】
次に、図５を用いて、ステップＳ２０８で行う再生リスト選択区間決定処理について、詳細に説明する。
図５は、本発明の実施の形態１における被写体情報受信状況と被写体識別情報受信状態チェックの関係図である。
【０１０２】
図において、５１７は時間軸、５０１、５０２、５０３、５０４、５０５、５０６、５０７、５０８、５０９は被写体識別情報受信状態チェックタイミング、５１０、５１１、５１２、５１３、５１４は被写体識別情報受信地点、５１５は基本被写体識別情報受信間隔、５１６は被写体識別情報受信状態チェック間隔、５１８、５１９は再生リスト選択区間である。基本被写体識別情報受信間隔５１５は、被写体に設置した無線信号情報送信部１０２より、被写体識別情報を無線信号情報により所定の時間間隔（Ｍ）毎に送信されるため、一定の間隔となる。
【０１０３】
なお、本実施の形態１において、被写体識別情報受信状態チェック間隔５１６も一定の時間間隔で、かつ基本被写体識別情報受信間隔５１５と同一の間隔にしているが、必ずしも間隔は一定でなくてもよく、間隔も同一でなくてもよい。
【０１０４】
まず、被写体識別情報受信地点５１０を、現時点での再生リストの選択対象となっていない被写体識別情報ＩＤ１が検出された時点とし、このとき再生リストの選択開始地点と決定し、かつ、被写体識別情報ＩＤ１が検出されたことを示すフラグ（Ｆｉｄ１）をセットする。次に被写体識別情報受信状態チェックタイミング５０２において、被写体識別情報ＩＤ１が検出されたことを示すフラグ（Ｆｉｄ１）を検出することで、被写体識別情報ＩＤ１が検出され再生リストに選択されたことを把握し、被写体識別情報ＩＤ１が検出され再生リストに選択された情報を保持して、フラグ（Ｆｉｄ１）をリセットする。そして、被写体識別情報受信地点５１１において、再度、被写体識別情報ＩＤ１が検出された際、今度は既に再生リストの選択対象となっているため、フラグ（Ｆｉｄ１）のセット処理のみ行う。また、被写体識別情報受信状態チェックタイミング５０３において、フラグ（Ｆｉｄ１）がセットされていたら、フラグ（Ｆｉｄ１）をリセットする。この処理を繰り返す。そして、識別情報受信状態チェックタイミング５０４において、フラグ（Ｆｉｄ１）をリセットし、識別情報受信状態チェックタイミング５０５において、フラグ（Ｆｉｄ１）のチェックを行った際、フラグがセットされていない場合、識別情報受信状態チェックタイミング５０４、５０５間に被写体識別情報が受信されなかったことを表し、再生リストの選択解除候補として、識別情報受信状態チェックタイミング５０５地点位置を保持する。その後、識別情報受信状態チェックタイミング５０６において、フラグ（Ｆｉｄ１）のチェックを行った際、フラグがセットされている場合、識別情報受信状態チェックタイミング５０４、５０５間に被写体識別情報が受信されなかったのは、被写体は撮影されているが無線情報の送信ミス、あるいは受信ミスによるものと判断し、再生リストの選択解除候補を解除する。さらに識別情報受信状態チェックタイミング５０７、５０８にチェックを継続する。識別情報受信状態チェックタイミング５０８において、フラグ（Ｆｉｄ１）のチェックを行った際、フラグがセットされていない場合、再生リストの選択解除候補として、識別情報受信状態チェックタイミング５０８の地点位置を保持する。続けて、識別情報受信状態チェックタイミング５０９において、フラグ（Ｆｉｄ１）のチェックを行った際、フラグがセットされていない場合、被写体が撮影範囲から外れたと判断し、再生リストの選択解除候補保持している識別情報受信状態チェックタイミング５０８の地点位置を、再生リストの選択解除地点と決定し、このとき、再生リスト選択区間５１８を確定し、再生リスト選択区間決定処理を完了する。また、識別情報受信状態チェックタイミングにおいて、最後にフラグがセットされていたタイミングを随時保持、更新しておき、被写体が撮影範囲から外れたと判断した際、その最後にフラグがセットされていたタイミング（図５においては、識別情報受信状態チェックタイミング５０７）地点位置を、再生リストの選択解除地点と決定し再生リスト選択区間５１９を確定し、再生リスト選択区間決定処理を完了してもよい。
【０１０５】
なお、本実施の形態１では、フラグのチェックを行い２度連続してフラグがセットされていないときに再生リストの選択解除の決定を行っているが、２より大きな回数連続してフラグがセットされない際に再生リストの選択解除の決定を行うようにしてもよい。
【０１０６】
また、１度の撮影期間中に、再生リストの選択、及び選択解除が繰り返し行われることにより、この再生リスト選択区間決定処理は、撮影が停止されるまで繰り返し実行でき、これにより、１度の撮影期間中で複数回の再生リストを作成することができる。
【０１０７】
次に、図６〜図１０を用いて、無線通信を赤外線リモコン通信で実現した場合の、無線信号情報１１０の構成、無線信号情報送信部１０２の構造、及び、無線信号情報送信部１０２から送信された被写体識別情報を受信することにより、被写体が撮影中であることを判断する仕組み、を説明する。
【０１０８】
なお、赤外線リモコン通信で送信する無線信号情報１１０のデータフォーマットは、現在多くの家電製品で使用されている家電製品協会フォーマット（家製協フォーマット）に準拠したリモコンデータフォーマットを例に挙げて説明する。
【０１０９】
また、赤外線リモコン通信は、赤外線光を使用した無線通信方法で、送受信において指向性を備えた通信方法である。
【０１１０】
図６はリモコンデータフォーマットの構成図である。
図６において、６０１はリモコンデータフォーマット全体、６０２はリモコンデータ６０１におけるヘッダ部、６０３はリモコンデータ６０１におけるメーカーコード部、６０４はリモコンデータ６０１におけるパリティ部、６０５はリモコンデータ６０１における機器コード部、６０６はリモコンデータ６０１におけるデータコード部、６０７はリモコンデータ６０１におけるパリティ部、６０８はリモコンデータ６０１におけるトレーラ部である。
【０１１１】
無線信号情報送信部１０２では、無線信号情報送信部１０２固有のＩＤ情報を、データコード部６０６にセットし、リモコンデータ６０１を作成する。このリモコンデータ６０１を無線信号情報１１０として、無線信号情報送信部１０２より送信する。
【０１１２】
図７は本発明の実施の形態１における無線信号情報送信部１０２の鳥瞰図である。
図７において、７０１は無線信号情報送信部本体、７０２、７０３、７０４、７０５は水平方向に赤外線光を発光する赤外光源、７０６は仰角方向に赤外線赤外線光を発光する赤外光源、７０７は赤外光源７０２が発光する赤外線光の到達範囲、７０８は赤外光源７０３が発光する赤外線光の到達範囲、７０９は赤外光源７０４が発光する赤外線光の到達範囲、７１０は赤外光源７０５が発光する赤外線光の到達範囲、７１１は赤外光源７０６が発光する赤外線光の到達範囲である。
【０１１３】
このとき、赤外光源７０２、７０３、７０４、７０５、７０６の発光指向角特性を９０度以上とすることで、図７に表す水平方向に４つの赤外光源を配置することで、水平方向全方向に無線信号を発信することが可能となる。なお、発光指向角特性を１２０度以上とすれば、水平方向に３つの赤外線光源を配置することでも、水平方向全方向に無線信号を発信することが可能となり、発光指向角特性を９０度以下なら４つ以上の赤外光源を配置することで、水平方向全方向に無線信号を発信することが可能となる。
【０１１４】
また、図８は図７に示した無線信号情報送信部１０２を側面から見た図であり、図７と同様、赤外光源７０３、７０４、７０５、７０６の発光指向角特性を９０度以上とすることで、仰角方向全方向に無線信号を発信することが可能となる。
【０１１５】
このように、図７、及び図８に表す構造にすることで、無線信号情報送信部１０２は、水平方向、及び仰角方向すべての方向に無線信号を発信可能となる。この無線信号情報送信部１０２を被写体の肩位置に装着することで被写体から、水平方向、及び仰角方向すべての方向に無線信号を発信することができ、無線信号情報受信部１０４では容易に被写体識別情報を受信することが可能となる。
【０１１６】
また、図９は、本発明の実施の形態１における無線信号情報受信部１０４と無線信号情報送信部１０２の関係図であり、図１０は、本発明の実施の形態１における無線信号情報受信部１０４の受光範囲を表す図である。
【０１１７】
図９において、９０１は映像音声記録再生装置本体、９０２は無線信号情報受信部、９０３は映像音声記録再生装置による撮像範囲であり、７０１ａ〜７０１ｇは、時間とともに移動する被写体（無線信号情報送信部）の位置を示したものである。
【０１１８】
また、図１０において、１００１は無線信号情報受信部本体、１００２は赤外線受光体、１００３、１００４は赤外線遮蔽部、１００５は図１０（ａ）における赤外線受光体１００２の受光範囲、１００６は図１０（ｂ）における赤外線受光体１００２の受光範囲、１００７は図１０（ｃ）における赤外線受光体１００２の受光範囲である。
【０１１９】
無線信号情報受信部９０２は、カメラ撮影部によって撮影する方向と同一の方向からの無線情報を受信できるよう、カメラのレンズ近傍に設置する。また、無線信号情報受信部は、カメラ撮像部によって撮影する撮影範囲と同一範囲の無線信号を受信できるような受光指向特性を備えたものを配置する。なお、撮像範囲と同一範囲の無線信号を受信できるような受光指向特性を備えた無線信号情報受信部は、図１０（ａ）〜図１０（ｃ）に示すように、赤外線遮蔽部１００３、１００４を用いて赤外線受光体１００２の受光範囲を調整することで実現する。なお、映像音声記録再生装置がズームイン、ズームアウト機能を備える場合、赤外線遮蔽部１００３、１００４を、映像音声記録再生装置のズームイン、ズームアウト機能に連動して動作させることで、赤外線受光体１００２の受光範囲を調整し、撮像範囲と同一範囲の無線信号を受信できるようにしてもよい。
【０１２０】
被写体（無線信号情報送信部）７０１の位置が、時間とともに７０１ａ、７０１ｂ・・・と移動し、映像音声記録再生装置による撮像範囲９０３内に移動した時点の被写体（無線信号情報送信部）の位置７０１ｃから発光される無線信号を無線信号情報受信部９０２が受信する。そして、上述した解析、再生リストの選択処理により、受信した被写体識別情報に該当する再生リストの選択を行う。また、被写体（無線信号情報送信部）７０１が、７０１ｄ、７０１ｅ・・・と移動し、例えば７０１ｇに示す位置のように、映像音声記録再生装置による撮像範囲９０３外に移動した時点で、上述した解析、再生リストの選択解除処理により、受信した被写体識別情報に該当する再生リストの再生リスト選択区間決定処理を行い、再生リストに被写体（無線信号情報送信部）が撮影されていた期間のみ再生区間として追加登録を行う。
【０１２１】
また、本実施の形態１では、カメラ撮像部１０３に無線情報通信光検出部１１２を備え、無線信号情報受信部１０４で無線信号を検知し、なおかつカメラ撮像部１０３の無線情報通信光検出部１１２で赤外線光を検知したときに有効無線信号を検知したと判断するようにしている。すなわち、再生リスト選択部１０６は、無線信号通信光検出部１１２で通信光を検出したとき、無線信号情報を受信したと判断して再生リストの選択動作を行う。これにより、無線信号情報受信部１０４における赤外線信号の誤り検知を低減させることができる。なお、カメラ撮像部１０３の無線情報通信光検出部１１２は、使用する赤外線光色を画像処理において認識することで実現する。また、本発明の実施の形態１では、カメラ撮像部１０３に無線情報通信光検出部１１２を備えているが、無線情報通信光検出部１１２を備えなくても本発明が有効であるのはいうまでもない。
【０１２２】
以上のように、本発明の実施の形態１に係る映像音声記録再生装置は、被写体に設置され、カメラ撮像部１０３で撮影している被写体を識別するための被写体識別情報を、無線通信により該被写体側から所定の時間間隔毎に送信する無線信号情報送信部１０２と、無線信号情報送信部１０２からの無線信号情報を受信する無線信号情報受信部１０４と、無線信号情報受信部１０４からの無線信号情報より、被写体識別情報を解析して取得する情報解析部１０５と、記録媒体１０９に格納されている複数個の再生リストから、情報解析部１０５で取得した被写体識別情報に該当する再生リスト情報４０６を選択する再生リスト選択部１０６と、再生リスト選択部１０６にて選択した再生リスト情報４０６に、被写体の撮影に伴い新たに記録した映像音声データの再生区間を示す情報を追加し、該再生区間情報を記録媒体に記録する再生リスト追加部１０７とを備えたので、被写体が現在撮影されているか否かを識別し、被写体が撮影されている期間、被写体に該当する再生リストを自動的に検出して登録処理を行うことにより、被写体毎の再生リストの自動作成、自動編集を行うことができる。
【０１２３】
また、１度の撮影期間中に、被写体が撮影されている期間が複数回存在する場合でも、再生リストの選択、及び選択解除を繰り返し行い、複数回、被写体に該当する再生リストを自動的に検出して登録処理を行うことにより、１度の撮影期間中に複数回、被写体毎の再生リストの自動作成、自動編集を行うこともできる。
【０１２４】
なお、本発明の実施の形態１に係る映像音声記録再生装置では、記録媒体としてＳＤカードを用いた例について説明したがこれに限るものではなく、ＳＤカード以外の半導体メモリ，ハードディスク等を用いてもよい。
【０１２５】
（実施の形態２）
本発明の実施の形態２に係る映像音声記録再生装置は、多様な再生リストを作成するために、被写体識別情報が構成された再生リストに対して、被写体識別情報の変更、及び／または被写体識別情報の追加を行い、多様な再生リストを作成するために、再生リスト編集部を備えたものである。
【０１２６】
本発明の実施の形態２に係る映像音声記録再生装置の構成について図１１を用いて説明する。本発明の実施の形態１と同じ部分については同じ符号を使い、説明を省略する。
【０１２７】
図１１は本発明の実施の形態２における映像音声記録再生装置２００を示すブロック図である。
図において、実施の形態１の構成と異なるところは、再生リスト編集部１１０１、及び操作ＩＦ部１１０２を設けた点である。
【０１２８】
再生リスト編集部１１０１は、データアクセス部１０８を介して記録媒体１０９に記録された再生リストを読み出し、該読み出した再生リストの編集処理を行うものであり、操作ＩＦ部１１０２は、再生リスト編集部１１０１による使用者への再生リスト表示や、使用者から再生リスト編集部１１０１への再生リスト編集指示の通知を行うために用いるものである。
【０１２９】
図１２は、再生リスト編集部１１０１により操作ＩＦ部１１０２を介して使用者に表示される再生リスト一覧表示画面の例を示す図である。
図において、再生リスト一覧表示画面１２０１には、指定ＩＤ該当再生リスト一覧部１２０２と、指定ＩＤ非該当再生リスト一覧部１２０３とが表示され、指定ＩＤ該当再生リスト一覧部１２０２には、指定ＩＤ該当再生リスト１２０４、１２０５が表示され、指定ＩＤ非該当再生リスト一覧部１２０３には、指定ＩＤ非該当再生リスト１２０６、１２０７、１２０８、１２０９と、新規再生リスト生成指定部１２１０とが表示されている。
【０１３０】
次に、図１１、図１２、図１３を用いて、本発明の実施の形態２に係る映像音声記録再生装置２００において被写体識別情報が構成された再生リストに対して、該被写体識別情報の変更、及び／または被写体識別情報の追加を行う再生リスト編集処理について説明する。
【０１３１】
図１３は、本発明の実施の形態２に係る映像音声記録再生装置において、再生リスト編集開始から編集終了までの再生リスト編集ステップの動作を表したフローチャートである。
【０１３２】
再生リストの編集処理を行う際、無線信号情報送信部１０２より、被写体識別情報を無線信号情報１１０により送信する。本発明の実施の形態１と同様に、被写体識別情報は、無線信号情報送信部固有のＩＤ値によって形成する情報とする。また、本実施の形態２において、無線信号情報送信部１０２から送信される被写体識別情報をＩＤ２とする。
【０１３３】
映像音声記録再生装置本体１０１の無線信号情報受信部１０４により無線信号情報を受信し、受信した無線信号情報を情報解析部１０５において解析し（ステップＳ１３０１）、解析の結果、無線信号情報に被写体識別情報ＩＤ２が存在した場合（ステップＳ１３０２）、被写体識別情報ＩＤ２を取得する（ステップ１３０４）。ステップＳ１３０４で被写体識別情報ＩＤ２を取得した場合、再生リスト選択部１０６において、データアクセス部１０８を介して記録媒体１０９内の再生リストを読み出し、被写体識別情報ＩＤ２に該当する再生リストを検索する（ステップＳ１３０５）。
【０１３４】
次に、再生リスト編集部１１０１において、データアクセス部１０８を介して記録媒体１０９内の再生リストを読み出し、再生リスト選択部１０６において検索した被写体識別情報ＩＤ２に該当する再生リスト情報と、被写体識別情報ＩＤ２に該当しない再生リスト情報との２種類の再生リスト情報に区別し、操作ＩＦ部１１０２を介して再生リスト一覧表示画面１２０１を表示し、使用者にＩＤ２該当再生リスト一覧１２０２、ＩＤ２非該当再生リスト一覧１２０３、それぞれを表示する（ステップＳ１３０６）。
【０１３５】
使用者は、例えばＩＤ２該当再生リスト一覧１２０２に表示されているＬｉｓｔ３（１２０５）をＩＤ２該当から非該当に変更したい場合、操作ＩＦ部１１０２を使用して、Ｌｉｓｔ３（１２０５）を選択し、非該当にすることを再生リスト編集部１１０１に通知する（ステップＳ１３０７）。操作ＩＦ部１１０２は、Ｌｉｓｔ３（１２０５）がＩＤ２該当から非該当への変更要求が来たことを、再生リスト編集部１１０１に通知し、再生リスト編集部１１０１では、該再生リスト編集の通知を受けたとき（ステップＳ１３０８）、Ｌｉｓｔ３（１２０５）に対応する再生リスト情報のＴｅｘｔ情報格納領域４１０からＩＤ２情報を削除し、データアクセス部１０８を介して記録媒体にその変更を更新することにより、Ｌｉｓｔ３（１２０５）をＩＤ２該当から非該当に変更する（ステップＳ１３０９）。その他の編集操作を行う場合、ステップＳ１３０７からの処理を繰り返す、その他の編集操作がない場合（ステップＳ１３１１）、再生リストの編集処理を終了する。
【０１３６】
また、例えばＩＤ２非該当再生リスト一覧１２０３に表示されているＬｉｓｔ５（１２０８）をＩＤ２非該当から該当に変更したい場合、操作ＩＦ部１１０２を使用して、Ｌｉｓｔ５（１２０８）を選択し、該当にすることを再生リスト編集部１１０１に通知する（ステップＳ１３０７）。操作ＩＦ部１１０２は、Ｌｉｓｔ５（１２０８）がＩＤ２非該当から該当への変更要求が来たことを、再生リスト編集部１１０１に通知し、再生リスト編集部１１０１では、該再生リスト編集の通知を受けたとき（ステップＳ１３０８）、Ｌｉｓｔ５（１２０８）に対応する再生リスト情報のＴｅｘｔ情報格納領域４１０へＩＤ２情報を追加し、データアクセス部１０８を介して記録媒体にその変更を更新することにより、Ｌｉｓｔ５（１２０８）をＩＤ２非該当から該当に変更する（ステップＳ１３０９）。その他の編集操作を行う場合、ステップ１３０７からの処理を繰り返す、その他の編集操作がない場合（ステップＳ１３１１）、再生リストの編集処理を終了する。
【０１３７】
なお、Ｌｉｓｔ５（１２０８）に対応する再生リスト情報のＴｅｘｔ情報格納領域４１０に既に別の被写体識別情報を示すＩＤが保持されている場合、既に保持されているＩＤも残し、さらにＩＤ２を追加する形をとる。このような構成を採ることで、１つの再生リストに該当する被写体識別情報を複数にすることが可能となる。
【０１３８】
また、例えばＩＤ２に該当する再生リストをさらに新規に作成したい場合は、操作ＩＦ部１１０２を使用して、新規Ｌｉｓｔ（１２１０）を選択し、新規作成することを再生リスト選択部１０６に通知する（ステップＳ１３０７）。操作ＩＦ部１１０２は、ＩＤ２該当の再生リストの新規作成要求が来たことを、再生リスト編集部１１０１を経由して再生リスト選択部１０６に通知し、再生リスト選択部１０６では、該再生リスト新規作成の通知を受けたとき（ステップＳ１３０８）、新たに被写体識別情報ＩＤ２に該当する再生リストを生成する（ステップＳ１３１０）。なお、再生リストの新規作成方法に関しては、本発明の実施の形態１と同様であるため、その説明は省略する。その他の編集操作を行う場合、ステップＳ１３０７からの処理を繰り返す。その他の編集操作がない場合（ステップＳ１３１１）、再生リストの編集処理を終了する。
【０１３９】
また、ステップＳ１３０２において、受信した被写体識別情報に該当する再生リストと異なる再生リストのみの編集を行う場合等には、ステップＳ１３０３で無線情報の受信を継続することなく、すなわち被写体識別情報に該当する再生リストを取得することなく、ステップＳ１３０６で所要の再生リストを一覧表示させ、以下同様の動作を行う。
【０１４０】
以上のように、本発明の実施の形態２に係る映像音声記録再生装置は、記録媒体に記録された再生リストの編集を行う再生リスト編集部１１０１を備えたので、被写体識別情報に該当する再生リストを編集することにより、１つの再生リストに複数の被写体識別情報に該当させる、また、１つの被写体識別情報に該当する再生リストを複数作成する等、多様な再生リストを複数自動的に作成することができるようになる。
【産業上の利用可能性】
【０１４１】
本発明にかかる映像音声記録再生装置、及び映像音声記録再生方法は、被写体が現在撮影されているか否かを識別し、被写体が撮影されている期間、被写体に該当する再生リストを自動的に検出して登録処理を行うことにより、被写体毎の再生リストの自動作成、自動編集を行う機能を有し、撮影した映像音声データとともに再生する上での管理情報を記録し再生する映像音声記録再生装置、及び映像音声記録再生方法等に有用である。
【０１４２】
また、本発明にかかる映像音声記録再生装置、及び映像音声記録再生方法は、１度の撮影期間中に、被写体が撮影されている期間が複数回存在する場合、複数回、被写体に該当する再生リストを自動的に検出して登録処理を行うことにより、１度の撮影期間中に複数回、被写体毎の再生リストの自動作成、自動編集を行う機能を有し、撮影した映像音声データとともに再生する上での管理情報を記録し再生する映像音声記録再生装置、及び映像音声記録再生方法等に有用である。
【図面の簡単な説明】
【０１４３】
【図１】本発明の実施の形態１における映像音声記録再生装置のブロック図
【図２】本発明の実施の形態１における撮影開始から撮影終了までの再生リスト自動登録処理を表したフローチャート図
【図３】ＳＤメモリカードが有しているファイル／ディレクトリ構造図
【図４】再生リスト情報ファイルの構造図
【図５】本発明の実施の形態１における被写体情報受信状況と被写体識別情報受信状態チェックの関係図
【図６】リモコンデータフォーマットの構成図
【図７】本発明の実施の形態１における無線信号情報送信部の鳥瞰図
【図８】本発明の実施の形態１における無線信号情報送信部の側面図
【図９】本発明の実施の形態１における無線信号情報受信部と無線信号情報送信部の関係図
【図１０】本発明の実施の形態１における無線信号情報受信部の受光範囲を表す図
【図１１】本発明の実施の形態２における映像音声記録再生装置のブロック図
【図１２】本発明の実施の形態２における再生リスト編集における再生リスト一覧表示画面図
【図１３】本発明の実施の形態２における再生リスト編集開始から編集終了までの再生リスト編集処理を表したチャート図
【図１４】従来の映像音声記録再生方法、並びに装置のブロック図
【符号の説明】
【０１４４】
１００、２００  映像音声記録再生装置
１０１、９０１  映像音声記録再生装置本体
１０２、７０１  無線信号情報送信部
１０３  カメラ撮影部
１０４、９０２、１００１  無線信号情報受信部
１０５  情報解析部
１０６  再生リスト選択部
１０７  再生リスト追加部
１０８  データアクセス部
１０９  記録媒体
１１１  再生手順決定部
１１２  無線情報通信光検出部
３０１  ルートディレクトリ
３０２  ＳＤ＿ＶＩＤＥＯディレクトリ
３０３  管理情報ファイルを格納するディレクトリ
３０４、３０５  プログラムディレクトリ
３０６  管理情報ファイル
３０７  プログラムディレクトリの管理情報ファイル
３０８  再生リスト情報ファイル
３０９  コンテンツ管理情報ファイル
３１０、３１２  動画像コンテンツファイル
３１１、３１３  動画像コンテンツファイルの管理情報ファイル
４０１  再生リスト情報ファイル
４０２  ファイルヘッダ部
４０３  再生リスト部
４０４  再生リスト情報ファイル４０１のデータサイズ値
４０５  再生リスト数情報値
４０６  再生リスト情報
４０７  再生リストヘッダ部
４０８  再生区間情報部
４０９  再生リスト情報４０６のデータサイズ情報値
４１０  Ｔｅｘｔ情報格納領域
４１１  再生区間数情報
４１２  再生区間情報
５０１〜５０９  受信状態チェックタイミング
５１０〜５１４  受信地点
５１５  受信間隔
５１６  チェック間隔
５１７  時間軸
５１８、５１９  再生リスト選択区間
６０１  リモコンデータフォーマット
６０２  ヘッダ
６０３  メーカーコード
６０４、６０７  パリティ
６０５  機器コード
６０６  データコード
６０８  トレーラ
７０２〜７０６  赤外光源
７０７〜７１１  赤外線光の到達範囲
９０３  撮像範囲
１００２  赤外線受光体
１００３、１００４  赤外線遮蔽部
１００５、１００６、１００７  受光範囲
１１０１  再生リスト編集部
１１０２  操作ＩＦ部
１２０１  再生リスト一覧表示画面
１２０２  指定ＩＤ該当再生リスト一覧部
１２０３  指定ＩＤ非該当再生リスト一覧部
１２０４、１２０５  指定ＩＤ該当再生リスト
１２０６〜１２０９  指定ＩＤ非該当再生リスト
１２１０  新規再生リスト生成指定部
【図１】
2007006422.tif 000003
【図２】
2007006422.tif 000004
【図３】
2007006422.tif 000005
【図４】
2007006422.tif 000006
【図５】
2007006422.tif 000007
【図６】
2007006422.tif 000008
【図７】
2007006422.tif 000009
【図８】
2007006422.tif 000010
【図９】
2007006422.tif 000011
【図１０】
2007006422.tif 000012
【図１１】
2007006422.tif 000013
【図１２】
2007006422.tif 000014
【図１３】
2007006422.tif 000015
【図１４】
2007006422.tif 000016